(57)【特許請求の範囲】
【請求項１】
電話機筐体の表面に液晶ディスプレイの画面を備える電話機本体と、前記電話機筐体の裏面側に着脱自在に取り付けられる傾斜角度調節具とからなり、
前記電話機筐体は、その裏面側に、前記傾斜角度調節具を取り付けるための嵌合部と、壁面に取り付けられた係合部材に係合する第１の係合部を備えると共に、
前記傾斜角度調節具は、前記嵌合部に取り付けられたときに、前記電話機筐体の上側を高く、下側を低くするような形状とされるとともに、前記嵌合部に取り付けられた状態において、壁面に対して前記電話機筐体の上側を高く、下側を低くする状態で、前記係合部材に係合する第２の係合部を備え、
前記電話機筐体と前記傾斜角度調節具との嵌合態様として、第１の傾斜角度を生成する第１の嵌合態様と、前記第１の傾斜角度よりも角度が大きい第２の傾斜角度を生成する第２の嵌合態様とを有し、
前記嵌合部は、
前記傾斜角度調節具の前記第１の嵌合態様の時の形状に応じた形状で前記電話機筐体の裏面に形成されたほぼ矩形状の凹部と、
前記凹部の前記電話機本体の上下方向の上側両端近傍に設けられた上側係合部と、
前記凹部の前記電話機本体の上下方向の下側両端近傍に設けられた下側係合部と、
前記凹部の左右両側の上側近傍に設けられた左右係合部とにより構成され、
前記傾斜角度調節具は、
前記第１の嵌合態様では、左右側面が山形のほぼ三角形状を有すると共に、その三角形状の底辺が、前記凹部の底平面に接するようにされるものであり、また、前記第２の嵌合態様では、前記三角形状の底辺が、前記凹部の底平面と所定の角度を成すようにされるものであり、かつ、少なくとも前記三角形状の一方の斜辺に沿って、前記係合部材に係合する前記第２の係合部を設けたものであって、
前記上側係合部に係合する第３係合部と、
前記下側係合部に係合する第４係合部と、
前記左右係合部に係合する第５係合部と
を備え、前記第３係合部あるいは第４係合部の一方は、前記電話機本体の上下方向の弾性的な偏倚により前記上側係合部あるいは前記下側係合部と係合するものであり、前記第５係合部は、前記電話機本体の左右方向の弾性的な偏倚により前記左右係合部と係合する構成を有する
ことを特徴とする傾斜角度可変電話機。
【発明の詳細な説明】
【０００１】
【発明の属する技術分野】
この発明は、載置平面あるいは取り付け壁面に対して、傾斜角度を可変にできる傾斜角度可変電話機に関する。
【０００２】
【従来の技術】
電話機を机上に載置して使用する場合に、使用者の姿勢や好みにより、電話機の傾斜角（電話機表面と机面との成す角）を変更できれば便利であり、従来から、電話機本体とは別部品の傾斜角度調節具を用いて、電話機の傾斜角を変更する技術が種々提案されている（例えば、実公昭５５−４８６０５号公報、特開平７−２５０１４５号公報等参照）。
【０００３】
また、その傾斜角度調節具を、電話機を壁に取り付けるときの補助部材として使用するものも知られている（例えば、特開平８−７９３５０号公報、特開平１１−５５３７５号公報等参照）。
【０００４】
例えば、特開平８−７９３５０号公報に記載のものは、傾斜角度調節具として、電話機筐体１の底面の形状に対応した形状の取付台２を用いるもので、筐体１の底面には、取付台２を嵌合させる凹部からなる取り付け部１ａを設ける。
【０００５】
そして、電話機を机上などに載置する場合において電話機の傾斜角度調節の必要がないときは、図７に示すように、電話機筐体１の底面に設けられた取付部１ａを覆うように、取付台２の下部の嵌合部４ｂを、取付部１ａに設けた保持部３ｂに嵌合させ、取付台２の上部の嵌合部４ａを電話機筐体１の底面の上部の保持部３ａに嵌合させる。
【０００６】
そして、電話機を机上などに載置する場合において電話機の傾斜角度を大きくするときは、図８に示すように、取付台２の下部の嵌合部４ｂを電話機筐体１の底面の下部の保持部３ｃに嵌合させ、取付部１ａの高い部分に設けられた保持部３ｄに取付台２の上部の嵌合部４ａを嵌合させる。
【０００７】
さらに、電話機を壁掛けで使用するときは、図９に示すように、取付台２の上下を反対にして、取付台２の下部の嵌合部４ｂを取付部１ａの高い部分の保持部３ｄに嵌合させ、取付台２の上部の嵌合部４ａを電話機筐体１の底面の下部の保持部３ｃに嵌合させて、電話機の表面が、壁面とほぼ平行になるように角度調整するようにしている。
【０００８】
また、前記特開平１１−５５３７５号公報に記載のものの場合にも、傾斜角度調節具により、電話機を机上などに載置する場合において電話機の傾斜角度調節を行うようにすると共に、壁掛けで使用するときには、傾斜角度調節具により、電話機の表面の壁面に対する傾斜角度が、上向き傾斜となるように調整されている。
【０００９】
【発明が解決しようとする課題】
上述のように、従来の場合、傾斜角度調節具は、電話機を机上などに載置する場合における電話機の傾斜角度を変更するためには用いられるが、壁掛けで電話機を使用しようとする場合には、電話機表面を壁面とほぼ平行にする、または電話機表面を斜め上向きにする等、電話機の傾斜角度を予め定めた所定の傾斜角度に調整するためにのみ用いられており、壁掛けで電話機を使用する場合の傾斜角度を変更することができなかった。
【００１０】
ところで、最近の電話機は、図１０に示すように、その表面には液晶ディスプレイ５が設けられることが多い。この液晶ディスプレイ５は、その画面の観視方向に依存性があり、斜め方向から観視した場合に、表示内容が認識しずらい場合が多々ある。
【００１１】
このため、壁掛けで使用する場合においても、使用者の使用状況や、電話機の設置場所によっては、電話機の傾斜角度を調節できるようにした方が望ましい。さらに、壁掛け使用においては、使用者が電話機の表面を真横から見る場合の他、若干下側から見上げるようにする場合も比較的多くなると考えられ、後者の場合には、電話機表面が若干下方を向いた方が、液晶ディスプレイの画面の観視方向として望ましい。
【００１２】
ところが、上述したように、従来の場合には、電話機の壁面に平行あるいは電話機の表面が上向きとなるような傾斜角度に固定されており、液晶ディスプレイの視認性が考慮されていないため、その設置場所によっては、液晶ディスプレイの表示内容が認識しずらくなるおそれがあった。あるいは、電話機の壁掛け位置に自由度がないという問題があった。
【００１３】
この発明は、以上の点にかんがみ、液晶ディスプレイを備える電話機を、机上に載置して使用する場合でも、壁掛けで使用する場合でも、その傾斜角度を調節することができるようにすると共に、壁掛けで使用する場合の液晶ディスプレイの視認性を良好とすることができる傾斜角度可変電話機を提供することを目的とする。
【００１４】
【課題を解決するための手段】
上記課題を解決するため、この発明による傾斜角度可変電話機は、
電話機筐体の表面に液晶ディスプレイの画面を備える電話機本体と、前記電話機筐体の裏面側に着脱自在に取り付けられる傾斜角度調節具とからなり、
前記電話機筐体は、その裏面側に、前記傾斜角度調節具を取り付けるための嵌合部と、壁面に取り付けられた係合部材に係合する第１の係合部を備えると共に、
前記傾斜角度調節具は、前記嵌合部に取り付けられたときに、前記電話機筐体の上側を高く、下側を低くするような形状とされるとともに、前記嵌合部に取り付けられた状態において、壁面に対して前記電話機筐体の上側を高く、下側を低くする状態で、前記係合部材に係合する第２の係合部を備え、
前記電話機筐体と前記傾斜角度調節具との嵌合態様として、第１の傾斜角度を生成する第１の嵌合態様と、前記第１の傾斜角度よりも角度が大きい第２の傾斜角度を生成する第２の嵌合態様とを有し、
前記嵌合部は、
前記傾斜角度調節具の前記第１の嵌合態様の時の形状に応じた形状で前記電話機筐体の裏面に形成されたほぼ矩形状の凹部と、
前記凹部の前記電話機本体の上下方向の上側両端近傍に設けられた上側係合部と、
前記凹部の前記電話機本体の上下方向の下側両端近傍に設けられた下側係合部と、
前記凹部の左右両側の上側近傍に設けられた左右係合部とにより構成され、
前記傾斜角度調節具は、
前記第１の嵌合態様では、左右側面が山形のほぼ三角形状を有すると共に、その三角形状の底辺が、前記凹部の底平面に接するようにされるものであり、また、前記第２の嵌合態様では、前記三角形状の底辺が、前記凹部の底平面と所定の角度を成すようにされるものであり、かつ、少なくとも前記三角形状の一方の斜辺に沿って、前記係合部材に係合する前記第２の係合部を設けたものであって、
前記上側係合部に係合する第３係合部と、
前記下側係合部に係合する第４係合部と、
前記左右係合部に係合する第５係合部と
を備え、前記第３係合部あるいは第４係合部の一方は、前記電話機本体の上下方向の弾性的な偏倚により前記上側係合部あるいは前記下側係合部と係合するものであり、前記第５係合部は、前記電話機本体の左右方向の弾性的な偏倚により前記左右係合部と係合する構成を有する
ことを特徴とする。
【００１７】
【作用】
上述の構成のこの発明によれば、電話機を机などの平面上に載置する場合には、傾斜角度調節具を、電話機筐体の裏面側の嵌合部に嵌合させて、電話機筐体の上側を高く、下側を低くすることにより、傾斜角度を容易に変更することができる。
【００１８】
また、壁掛けで使用するときであって、電話機の表面を、わずかに見上げるように見るような使用態様の場合には、電話機筐体の裏面側に設けられた係合部を、壁面に取り付けられた係合部材と係合させる。また、電話機の表面を、より下方から見上げるような使用態様としたい場合には、電話機筐体の裏面側の嵌合部に、傾斜角度調節具を取り付けた状態で、この傾斜角度調節具に設けられている係合部を、壁面に取り付けられた係合部材と係合させる。
【００１９】
この発明の場合の壁掛け使用状態によれば、使用者は、電話機の表面の液晶ディスプレイ画面を、常に、その画面にほぼ正対する方向から見るようにすることができるようになり、視認性が良くなるものである。
【００２０】
また、この発明の場合には、使用者の好みや、電話機の設置位置に応じて傾斜角度を２段階に変えられ、自由度が大きくなるものである。
【００２１】
また、この発明において、第１の嵌合態様では、傾斜角度調節具の第３係合部を、電話機筐体の裏面側の上側係合部に係合させ、また、傾斜角度調節具の第４係合部を、電話機筐体の裏面側の下側係合部に係合させることにより、電話機筐体に傾斜角度調節具を取り付ける。このとき、傾斜角度調節具の第３係合部と第４係合部との一方は、上側係合部あるいは下側係合部に、電話機本体の上下方向の弾性的な偏倚により係合する。
【００２２】
また、第２の嵌合態様では、傾斜角度調節具の第５係合部を、電話機筐体の左右係合部に係合させることにより、電話機筐体に傾斜角度調節具を取り付ける。このとき、傾斜角度調節具の第５係合部は、電話機本体の左右方向の弾性的な偏倚により左右係合部と係合する。
【００２３】
したがって、第１および第２のいずれの嵌合態様においても、傾斜角度調節具の電話機筐体に対する嵌合が容易であると共に、その嵌合状態では、上述の弾性的な偏倚によって保持されるので、確実な嵌合を保つことが可能となる。
【００２４】
【発明の実施の形態】
まず、この実施の形態の傾斜角度可変電話機の概要について、図１〜図２を参照して説明する。
【００２５】
この実施の形態の傾斜角度可変電話機は、電話機本体１０と、傾斜角度調節具２０とからなる。図１〜図２は、これら電話機本体１０の筐体１１と、傾斜角度調節具２０とを、それぞれその側面方向から見た図である。
【００２６】
電話機本体１０の筐体１１は、その裏面側に傾斜角度調節具２０が嵌合される凹部１２を備えると共に、その凹部１２に傾斜角度調節具２０との係合部を備える。係合部の構造については、後で詳述する。また、電話機本体１０の筐体１１は、その裏面側に、壁面に取り付けられた係合部材に係合する係合部１３を備える。
【００２７】
傾斜角度調節具２０が電話機筐体１１に嵌合されない状態で、電話機１０が机上などに載置された場合には、図２（Ａ）に示すように、筐体１１に設けられている脚部１４の存在により、傾斜角度が比較的小さい状態となる。
【００２８】
傾斜角度調節具２０は、左右側面から見た形状が図のように三角形状を有するものである。そして、図２（Ｂ），（Ｃ）に示すように、この実施の形態の傾斜角度調節具２０は、電話機筐体１１の裏面に対して、第１の嵌合態様と、第２の嵌合態様をとり得るように構成されている。図２（Ｂ）は第１の嵌合態様での嵌合状態を示し、図２（Ｃ）は第２の嵌合態様での嵌合状態を示している。
【００２９】
この場合、第１の嵌合態様では、傾斜角度調節具２０の三角形状の底辺２０ａが、筐体１１の凹部１２の底平面に接するような状態で、傾斜角度調節具２０が筐体１１に嵌合されるものであり、また、第２の嵌合態様では、三角形状の底辺２０ａが凹部１２の底平面と所定の角度を成すような状態で、傾斜角度調節具２０が筐体１１に嵌合されるものである。
【００３０】
そして、傾斜角度調節具２０は、さらに、少なくとも三角形状の一方の斜辺に沿って、壁面に取り付けられる係合部材に係合する係合部を備えるように構成される。この実施の形態では、第１の嵌合態様のとき、机などの面と接する斜辺側に、係合部２１を備える。
【００３１】
この実施の形態の場合、壁面に取り付けられる係合部材は、図１に示すようなフック部材３０とされる。そして、この実施の形態の場合、電話機筐体１１に設けられる係合部１３および傾斜角度調節具２０に設けられる係合部２１は、このフック部材３０に引っ掛けられる凹孔の構造とされる。
【００３２】
そして、電話機筐体１１の係合部１３が、壁３１に取り付けられたフック部材３０に係合される態様では、図１（Ａ）に示すように、電話機１０の表面１０ａが若干下向きとなるような壁掛け使用状態となる。
【００３３】
また、電話機筐体１１に傾斜角度調節具２０が嵌合され、傾斜角度調節具２０の係合部２１がフック部材３０に係合される態様では、図１（Ｂ）に示すように、電話機１０の表面１０ａが、図１（Ａ）の場合よりもさらに下向きとなるような壁掛け使用状態となる。
【００３４】
次に、図３以下を参照して、より詳細に電話機筐体１１と、傾斜角度調節具２０の構造を説明する。筐体１１は、上ハーフと下ハーフとが組み合わされて構成される。この例の場合、電話機筐体１１の上ハーフおよび下ハーフのそれぞれと、傾斜角度調節具２０は、弾性を有する樹脂、この例ではＡＢＳ樹脂の一体物として、それぞれ成型されたものとして構成されている。
【００３５】
図３（Ａ）は、電話機筐体１１の下ハーフ１１Ｌを底面から見た図、図３（Ｂ）は、下ハーフ１１Ｌの側面図である。また、図４（Ａ）は、傾斜角度調節具２０の前記底辺２０ａ（図１、図２参照）とは反対側から見た平面図、図４（Ｂ）は、傾斜角度調節具２０の側面図である。
【００３６】
また、図５（Ｂ）は、図３（Ａ）の電話機筐体１１の下ハーフ１１Ｌを底面から見た図におけるＡ−Ａ線断面を示す図である。図５（Ａ）は、図４（Ａ）の傾斜角度調節具２０の平面図におけるＣ−Ｃ線断面を示す図である。さらに、図６（Ｂ）は、図３（Ａ）の電話機筐体１１の下ハーフ１１Ｌを底面から見た図におけるＢ−Ｂ線断面を示す図である。
【００３７】
図３（Ａ）および図５（Ｂ）に示すように、電話機１０の上下方向の、脚部１４が設けられている上側の部分に、壁掛け用の２個の係合部１３、１３が設けられている。この係合部１３、１３は、この例では、図５（Ｂ）の断面図に示すように、凹孔１３ａにより構成されており、この凹孔１３ａ内に前述したフック部材３０が挿入されて、筐体１１がフック部材３０によって引っ掛けられるように構成されている。
【００３８】
なお、図３（Ａ）に示すように、筐体１１の下ハーフ１１Ｌの電話機１０の上下方向の下側の部分には、壁掛け使用時に、筐体１１の下側を固定するために、同様の凹孔の構成とされる係合部１５、１５が設けられている。
【００３９】
また、電話機筐体１１の下ハーフ１１Ｌの底面は、傾斜角度調節具２０が嵌合される凹部１００を備える。この凹部１００は、電話機１０の上下方向の、ほぼ上半分の領域内に設けられている。そして、この凹部１００の形状は、傾斜角度調節具２０の筐体１１との第１の嵌合態様の時の形状、つまり、図４（Ａ）に示した傾斜角度調節具２０の平面図の外形形状である、ほぼ矩形状の形状とされる。
【００４０】
そして、凹部１００の上側両端近傍には、第１の嵌合態様において傾斜角度調節具２０を係合させる２個の上側係合部１０１ａ，１０１ｂが設けられる。また、凹部１００の下側両端近傍には、第１の嵌合態様において傾斜角度調節具２０を係合させる２個の下側係合部１０２ａ，１０２ｂが設けられる。さらに、凹部の上側近傍の左右両側には、第２の嵌合態様において傾斜角度調節具２０を係合させる２個の左右係合部１０３ａ，１０３ｂが設けられる。
【００４１】
一方、傾斜角度調節具２０は、図４（Ｂ）に示すように、側面から見た形状が山形のほぼ三角形状を有し、筐体１１との第１の嵌合態様では、その三角形状の底辺２０ａが、筐体下ハーフ１１Ｌの凹部１００の平面１００ａと接するようにされる。そして、この例では、図５（Ａ）の断面図にも示すように、前記三角形状の一方の斜辺となる面２０ｂに沿う方向に、フック部材３０に嵌合する凹孔２１ａとして、係合部２１が設けられる。
【００４２】
また、傾斜角度調節具２０は、筐体下ハーフ１１Ｌの凹部１００の各係合部に対応して、図４（Ａ）に示すように、筐体下ハーフ１１Ｌの２個の上側係合部１０１ａ，１０１ｂに係合する２個の第１係合部（請求項１の第３係合部に対応）２０１ａ，２０１ｂと、筐体下ハーフ１１Ｌの２個の下側係合部１０２ａ，１０２ｂに係合する２個の第２係合部（請求項１の第４係合部に対応）２０２ａ，２０２ｂと、筐体下ハーフ１１Ｌの２個の左右係合部１０３ａ，１０３ｂに係合する２個の第３係合部（請求項１の第５係合部に対応）２０３ａ，２０３ｂとを備える。
【００４３】
この例の場合、図５（Ｂ）に示すように、筐体下ハーフ１１Ｌの２個の上側係合部１０１ａ，１０１ｂは、電話機１０の上下方向の凹孔１１０によって構成される。一方、傾斜角度調節具２０の２個の第１係合部２０１ａ，２０１ｂは、図５（Ａ）に示すように、底辺２０ａに沿う方向に突出する突部２１０によって構成される。そして、筐体下ハーフ１１Ｌの２個の上側係合部１０１ａ，１０１ｂの凹孔１１０内に、傾斜角度調節具２０の２個の第１係合部２０１ａ，２０１ｂの突部２１０が挿入されることにより、両者が係合（遊嵌状態）される。
【００４４】
また、図５（Ｂ）に示すように、筐体下ハーフ１１Ｌの２個の下側係合部１０２ａ，１０２ｂは、凹部１００の平面１００ａに垂直な方向の凹部１１１と、係止用突起１１２とからなる。一方、図５（Ａ）に示すように、傾斜角度調節具２０の２個の第２係合部２０２ａ，２０２ｂは、底辺２０ａに沿った方向（電話機１０の上下方向）に弾性的に偏倚可能となるＵ字片２１１と、このＵ字片２１１の遊端側に設けられた係合突起２１２とからなる。
【００４５】
この場合、筐体下ハーフ１１Ｌの２個の上側係合部１０１ａ，１０１ｂと、筐体下ハーフ１１Ｌの２個の下側係合部１０２ａ，１０２ｂとの間の距離は、傾斜角度調節具２０の２個の第１係合部２０１ａ，２０１ｂの突部２１０と、２個の第２係合部２０２ａ，２０２ｂの係合突起２１２との間の距離よりも、わずかに短く選定されている。
【００４６】
そして、傾斜角度調節具２０を筐体１１に第１の嵌合態様で嵌合させる場合には、筐体下ハーフ１１Ｌの２個の上側係合部１０１ａ，１０１ｂに、傾斜角度調節具２０の２個の第１係合部２０１ａ，２０１ｂが係合（遊嵌状態）されている状態において、傾斜角度調節具２０の２個の第２係合部２０２ａ，２０２ｂを、筐体下ハーフ１１Ｌの２個の下側係合部１０２ａ，１０２ｂに押し込む。
【００４７】
すると、Ｕ字片２１１の電話機本体の上下方向の弾性的な偏倚により、突起２１２が突起１１２の下側に入り込み、第２係合部２０２ａ，２０２ｂは、面１００ａに直交する方向には抜けなくなることにより、傾斜角度調節具２０が、筐体下ハーフ１１Ｌの凹部１００内に、第１の嵌合態様で嵌合される。
【００４８】
この第１の嵌合態様の嵌合状態は、傾斜角度調節具２０の第２係合部２０２ａ，２０２ｂの突起２１２と、筐体下ハーフ１１Ｌの係合突起１１２との係合を外すことにより、容易に解除することができる。
【００４９】
この第１の嵌合状態では、傾斜角度調節具２０の左右側面は、左右位置規整突部１６、１６に衝合し、傾斜角度調節具２０が、凹部１００内において、左右方向に移動しないようにされる。なお、傾斜角度調節具２０の第３係合部２０３ａ，２０３ｂは、凹部１００の逃げ部１００ｂ，１００ｃに位置するようにされて、嵌合の際に邪魔になることがないようにされている。
【００５０】
そして、この第１の嵌合状態は、前述したように、中間の傾斜角の状態で、机上に載置される態様（図２（Ｂ））と、壁掛け使用において、前傾の角度を大きくする状態（図１（Ｂ））との両方の使用状態がある。前述したように、壁掛け使用においては、係合部１３、１３の凹孔１３ａに、フック部材３０が挿入されて、電話機筐体１１が図１（Ｂ）に示したように、壁３１に取り付けられる。なお、傾斜角度調節具２０を用いた壁掛け使用の状態においても、凹孔からなる係合部１５、１５により、筐体１１の下側が固定される。
【００５１】
次に、図６（Ｂ）に示すように、筐体下ハーフ１１Ｌの２個の左右係合部１０３ａ，１０３ｂは、凹部１００の平面１００ａに垂直な方向の凹部１１３と、係止用段部１１４とからなる。
【００５２】
一方、傾斜角度調節具２０の２個の第３係合部２０３ａ，２０３ｂは、図６（Ａ）および図４（Ａ）に示すように、弾性アーム２１３と、この弾性アーム２１３の先端側に設けられた係合突起２１４とからなる。
【００５３】
この場合、筐体下ハーフ１１Ｌの２個の左右係合部１０３ａ，１０３ｂ間の最大距離は、傾斜角度調節具２０の２個の第３係合部２０３ａ，２０３ｂの弾性アーム２１３間距離よりもわずかに短く選定されている。
【００５４】
そして、傾斜角度調節具２０を筐体１１に第２の嵌合態様で嵌合させる場合には、傾斜角度調節具２０の２個の第３係合部２０３ａ，２０３ｂの弾性アーム２１３を、図６に示すように、筐体下ハーフ１１Ｌの凹部１１３内に挿入させる。すると、傾斜角度調節具２０の２個の弾性アーム２１３は、脚部１４の斜面から凹部１１３内に延長されている斜面のため、電話機の左右方向に、互いに近付き合うように弾性偏倚し、係合突起２１４が係合段部１１４の部分を過ぎると、弾性的に復帰して、係合段部１１４と係合突起２１４とが係合する状態になる。
【００５５】
したがって、傾斜角度調節具２０は、平面１００ａに直交する方向に引っ張られても、係合突起２１４が係合段部１１４のところで係止されて、筐体下ハーフ１１Ｌからは抜けなくなることにより、傾斜角度調節具２０が、筐体下ハーフ１１Ｌの凹部１００内に、第２の嵌合態様で嵌合される。
【００５６】
なお、傾斜角度調節具２０の２個の第２および第３係合の間には、矩形突部２０４が設けられている。一方、筐体下ハーフ１１Ｌの対応する位置には、矩形凹溝１７が設けられている。そして、第２の嵌合態様となるように、傾斜角度調節具２０を筐体１１に嵌合させたとき、その矩形突部２０４は、筐体下ハーフ１１Ｌの矩形凹溝１７内に圧入嵌合される。これにより、第２の嵌合態様における傾斜角度調節具２０の筐体１１に対する嵌合状態は強固になる。
【００５７】
この第２の嵌合態様の嵌合状態は、傾斜角度調節具２０の第３係合部２０３ａ，２０３ｂの突起２１４と、筐体下ハーフ１１Ｌの段部１１４との係合を外すことにより、容易に解除することができる。
【００５８】
なお、以上の実施の形態では、傾斜角度調節具２０の第１の嵌合態様でのみ壁掛け使用ができるようにしたが、傾斜角度調節具２０の第２の嵌合態様においても壁掛け使用ができるように構成することができることは言うまでもない。
【００５９】
【発明の効果】
以上説明したように、この発明によれば、電話機を机などの上に載置して使用する場合のみでなく、壁掛け使用状態においても、電話機表面の傾斜角度を調節することができる。しかも、壁掛け使用状態においては、電話機表面を、常に、その表面に設けられている液晶ディスプレイの視認性を良好な状態に保持するようにすることができる。
【図面の簡単な説明】
【図１】この発明による傾斜角度可変電話機の実施の形態を壁掛け使用状態を説明する図である。
【図２】この発明による傾斜角度可変電話機の実施の形態を机などの面上に載置する使用状態を説明する図である。
【図３】この発明による傾斜角度可変電話機の実施の形態の、電話機筐体の下ハーフの構造を説明する図である。
【図４】この発明による傾斜角度可変電話機の実施の形態の、傾斜角度調節具の構造を説明する図である。
【図５】この発明による傾斜角度可変電話機の実施の形態の、第１の嵌合態様を説明するための図である。
【図６】この発明による傾斜角度可変電話機の実施の形態の、第２の嵌合態様を説明するための図である。
【図７】従来の傾斜角度可変電話機を説明するための図である。
【図８】従来の傾斜角度可変電話機を説明するための図である。
【図９】従来の傾斜角度可変電話機を説明するための図である。
【図１０】液晶ディスプレイを備える電話機の表面の例を示す図である。
【符号の説明】
１０…電話機本体
１１…電話機筐体
１１Ｌ…下ハーフ
１２、１００…傾斜角度調節具が嵌合される凹部
１３、１３…壁掛け用の係合部
１４、１４…脚部
２０…傾斜角度調節具
２１…壁掛け用の係合部
１０１ａ，１０１ｂ…上側係合部
１０２ａ，１０２ｂ…下側係合部
１０３ａ，１０３ｂ…左右係合部
２０１ａ，２０１ｂ…第１係合部
２０２ａ，２０２ｂ…第２係合部
２０３ａ，２０３ｂ…第３係合部
３０…壁面に取り付けられたフック部材
３１…壁
【図１】
0003649275.tif 000002
【図２】
0003649275.tif 000003
【図３】
0003649275.tif 000004
【図４】
0003649275.tif 000005
【図５】
0003649275.tif 000006
【図６】
0003649275.tif 000007
【図７】
0003649275.tif 000008
【図８】
0003649275.tif 000009
【図９】
0003649275.tif 000010
【図１０】
0003649275.tif 000011